(57)【要約】  【課題】  記憶媒体の不正使用、盗難及び挿入忘れ等を防止するとともに、記憶媒体の取り扱いの利便性を向上させることができる記憶媒体の使用管理装置及びシステムを提供すること。  【解決手段】  ＥＴＣカード使用管理システム１０は、キーレス携帯機１１と、車載制御装置１３と、ＥＴＣ車載機１４と、解錠施錠装置１５とを有し、車載制御装置１３は、キーレス携帯機１１から認証情報及び解錠施錠情報を受信する通信手段１３ａと、認証用ＩＤを記憶するＩＤ記憶手段１３ｂと、認証情報と認証用ＩＤとを照合して使用者を認証する認証手段１３ｃとを備え、ＥＴＣ車載機１４は、ＥＴＣカード使用許可状態とＥＴＣカード使用禁止状態とを切り替える使用状態切替手段１４ａと、ＥＴＣカードの挿入状態を監視する挿入状態監視手段１４ｂとを備え、解錠施錠装置１５は、車両の錠の解錠又は施錠を実行する解錠施錠手段１５ａを備える。【選択図】  図１
2006011958.tif 000002
【特許請求の範囲】
【請求項１】
車両の使用者を認証するための認証情報と前記車両の錠の解錠及び施錠を指示するための解錠施錠情報とを受信する通信手段と、前記認証情報と予め登録された登録認証情報とが一致したとき、所定の記憶媒体に対するデータの記憶及び再生の少なくとも一方を許可する記憶再生許可信号と前記解錠及び前記施錠の少なくとも一方を許可する解錠施錠許可信号とを出力する認証手段とを備えたことを特徴とする記憶媒体の使用管理装置。
【請求項２】
前記認証手段が前記記憶再生許可信号を送信したとき、前記記憶媒体を着脱する記憶媒体着脱装置から前記記憶媒体が装着されているか否かの情報を表す着脱情報を受信して報知する報知手段を備えたことを特徴とする請求項１に記載の記憶媒体の使用管理装置。
【請求項３】
前記認証情報と前記登録認証情報とが一致するか否かを前記認証手段が判断する前に前記車両の錠が解錠されたとき、前記記憶媒体に対するデータの記憶及び再生が禁止されている旨を報知する報知手段を備えたことを特徴とする請求項１に記載の記憶媒体の使用管理装置。
【請求項４】
前記記憶再生許可信号を前記認証手段が出力した後に、前記記憶媒体を着脱する記憶媒体着脱装置から前記記憶媒体が取り外されたとき、前記記憶媒体が取り外された旨を報知する報知手段を備えたことを特徴とする請求項１に記載の記憶媒体の使用管理装置。
【請求項５】
前記認証手段は、前記車両の錠が施錠されたとき、前記記憶媒体を着脱する記憶媒体着脱装置から前記記憶媒体を取り外すことを禁止する取り外し禁止信号を出力し、前記認証情報と前記登録認証情報とが一致したとき、前記記憶媒体着脱装置から前記記憶媒体を取り外すことを許可する取り外し許可信号を出力することを特徴とする請求項２から請求項４までのいずれかに記載の記憶媒体の使用管理装置。
【請求項６】
前記通信手段は、所定の電子データが記憶された電子運転免許証から前記認証情報を受信することを特徴とする請求項１から請求項５までのいずれかに記載の記憶媒体の使用管理装置。
【請求項７】
前記認証手段は、生体の特徴を表す生体認証情報及び前記認証情報の少なくとも一方に基づいて前記車両の使用者を認証することを特徴とする請求項１から請求項６までのいずれかに記載の記憶媒体の使用管理装置。
【請求項８】
前記認証手段は、前記生体認証情報に基づいて前記取り外し禁止信号及び前記取り外し許可信号の何れかを出力することを特徴とする請求項５に記載の記憶媒体の使用管理装置。
【請求項９】
請求項１から請求項８までのいずれかに記載の記憶媒体の使用管理装置と、前記認証情報と前記解錠施錠情報とを前記記憶媒体の使用管理装置に送信する通信装置と、前記記憶媒体を着脱する記憶媒体着脱装置と、前記認証手段の認証結果に基づいて前記解錠及び前記施錠を実行する解錠施錠装置とを有し、
前記記憶媒体着脱装置は、前記記憶媒体に対するデータの記憶及び再生の少なくとも一方が許可された記憶媒体使用許可状態と前記記憶及び前記再生が禁止された記憶媒体使用禁止状態とを前記認証手段の認証結果に基づいて切り替える使用状態切替手段を備えたことを特徴とする記憶媒体の使用管理システム。
【請求項１０】
前記記憶媒体着脱装置は、自動料金収受システムで使用される記憶媒体に対してデータの記憶及び再生の少なくとも一方を実行する装置であることを特徴とする請求項９に記載の記憶媒体の使用管理システム。
【発明の詳細な説明】
【技術分野】
【０００１】
本発明は、例えばＥＴＣシステムにおけるＩＣカードの使用の許可及び禁止を管理する記憶媒体の使用管理装置及びシステムに関する。
【背景技術】
【０００２】
近年、有料道路において、マイクロ波を応用した路車間狭域通信としてＥＴＣシステム（Ｅｌｅｃｔｒｏｎｉｃ  Ｔｏｌｌ  Ｃｏｌｌｅｃｔｉｏｎ  Ｓｙｓｔｅｍ）が実用化され、サービスの拡大が期待されている。従来、車両に搭載されてＥＴＣシステムに使用されるＥＴＣ車載機として、特許文献１に示すようなものが知られている。
【０００３】
特許文献１に示された従来のＥＴＣ車載機は、ＥＴＣ送受信機と、カードリーダと、ＩＣカードとを備え、ＥＴＣ送受信機が有料道路の料金所に設置された装置と通信し、カードリーダがＩＣカードの情報を読み取って課金処理を行うことにより、自動車を料金所に止めずに有料道路の料金支払いを行うことができるようになっている。従来のＥＴＣ車載機を使用する運転者は、ＩＣカードの不正使用や盗難を防止するため、車両から降車する際にＩＣカードをＥＴＣ車載機から取り出して車外に持ち出し、車両に乗車する際にＩＣカードをＥＴＣ車載機に挿入するのが慣例であった。
【特許文献１】特開２００２−１７０１３７号公報（第３−４頁、第１図）
【発明の開示】
【発明が解決しようとする課題】
【０００４】
しかしながら、このような従来のＥＴＣ車載機では、ＩＣカードの挿入や取り出しを乗車時及び降車時ごとに行うので煩わしく、また、挿入を忘れたことに気づかずに有料道路の料金所のＥＴＣゲートに進入すると認証不可によりＥＴＣゲートが開かず、渋滞を引き起こすという問題があった。
【０００５】
本発明は、従来のＥＴＣ車載機等が有する問題を解決するためになされたものであり、ＥＴＣ車載機等で利用されるＩＣカードのような記憶媒体の不正使用、盗難及び挿入忘れ等を防止するとともに、記憶媒体の取り扱いの利便性を向上させることができる記憶媒体の使用管理装置及びシステムを提供するものである。
【課題を解決するための手段】
【０００６】
本発明の記憶媒体の使用管理装置は、車両の使用者を認証するための認証情報と前記車両の錠の解錠及び施錠を指示するための解錠施錠情報とを受信する通信手段と、前記認証情報と予め登録された登録認証情報とが一致したとき、所定の記憶媒体に対するデータの記憶及び再生の少なくとも一方を許可する記憶再生許可信号と前記解錠及び前記施錠の少なくとも一方を許可する解錠施錠許可信号とを出力する認証手段とを備えたことを特徴とする構成を有している。
【０００７】
この構成により、本発明の記憶媒体の使用管理装置は、認証手段が、通信手段によって受信された認証情報と登録認証情報とが一致したとき、記憶再生許可信号と解錠施錠許可信号とを出力するので、認証情報を有しない第３者に対してＩＣカードの不正使用、盗難及び挿入忘れ等を防止するとともに、施錠された車両内においてＩＣカードを記憶媒体着脱装置に挿入したままにしておくことができ、ＩＣカードの取り扱いの利便性を向上することができる。
【０００８】
また、本発明の記憶媒体の使用管理装置は、前記認証手段が前記記憶再生許可信号を送信したとき、前記記憶媒体を着脱する記憶媒体着脱装置から前記記憶媒体が装着されているか否かの情報を表す着脱情報を受信して報知する報知手段を備えたことを特徴とする構成を有している。
【０００９】
この構成により、本発明の記憶媒体の使用管理装置は、報知手段が、記憶媒体着脱装置から着脱情報を受信して報知するので、ＩＣカードが記憶媒体着脱装置に装着されていない場合はＩＣカードの挿入を使用者に促す報知を行うことができ、使用者のＩＣカード挿入忘れを防止することができる。
【００１０】
さらに、本発明の記憶媒体の使用管理装置は、前記認証情報と前記登録認証情報とが一致するか否かを前記認証手段が判断する前に前記車両の錠が解錠されたとき、前記記憶媒体に対するデータの記憶及び再生が禁止されている旨を報知する報知手段を備えたことを特徴とする構成を有している。
【００１１】
この構成により、本発明の記憶媒体の使用管理装置は、報知手段が、認証情報と登録認証情報とが一致するか否かを認証手段が判断する前に車両の錠が解錠されたとき、記憶媒体に対するデータの記憶及び再生が禁止されている旨を報知するので、認証手段による認証処理を経ないでドアを解錠した使用者にＩＣカードが使用できない旨を報知することができ、その結果、ＩＣカードが使用できない状態で使用者が車両を有料道路料金所のＥＴＣゲートに進入させたときに発生する交通渋滞を回避することができる。
【００１２】
さらに、本発明の記憶媒体の使用管理装置は、前記記憶再生許可信号を前記認証手段が出力した後に、前記記憶媒体を着脱する記憶媒体着脱装置から前記記憶媒体が取り外されたとき、前記記憶媒体が取り外された旨を報知する報知手段を備えたことを特徴とする構成を有している。
【００１３】
この構成により、本発明の記憶媒体の使用管理装置は、報知手段が、記憶再生許可信号を認証手段が出力した後に、記憶媒体着脱装置から記憶媒体が取り外されたとき、記憶媒体が取り外された旨を報知するので、使用者のＩＣカード挿入忘れを防止することができる。
【００１４】
さらに、本発明の記憶媒体の使用管理装置は、前記認証手段が、前記車両の錠が施錠されたとき、前記記憶媒体を着脱する記憶媒体着脱装置から前記記憶媒体を取り外すことを禁止する取り外し禁止信号を出力し、前記認証情報と前記登録認証情報とが一致したとき、前記記憶媒体着脱装置から前記記憶媒体を取り外すことを許可する取り外し許可信号を出力することを特徴とする構成を有している。
【００１５】
この構成により、本発明の記憶媒体の使用管理装置は、認証手段が、車両の錠が施錠されたとき、取り外す禁止信号を出力し、認証情報と登録認証情報とが一致したとき、取り外し許可信号を出力するので、第３者によるＩＣカードの盗難を防止することができる。
【００１６】
さらに、本発明の記憶媒体の使用管理装置は、前記通信手段が、所定の電子データが記憶された電子運転免許証から前記認証情報を受信することを特徴とする構成を有している。
【００１７】
この構成により、本発明の記憶媒体の使用管理装置は、通信手段が、電子運転免許証から認証情報を受信するので、運転者の電子運転免許証の不携帯を防止し、第３者によるＩＣカードの盗難を防止することができる。
【００１８】
さらに、本発明の記憶媒体の使用管理装置は、前記認証手段が、生体の特徴を表す生体認証情報及び前記認証情報の少なくとも一方に基づいて前記車両の使用者を認証することを特徴とする構成を有している。
【００１９】
この構成により、本発明の記憶媒体の使用管理装置は、認証手段が、生体認証情報が予め登録された登録生体情報と一致したとき、記憶再生許可信号及び解錠施錠許可信号を出力するので、第３者によるＩＣカードの盗難を防止することができる。
【００２０】
さらに、本発明の記憶媒体の使用管理装置は、前記認証手段が、前記生体認証情報に基づいて前記取り外し禁止信号及び前記取り外し許可信号の何れかを出力することを特徴とする構成を有している。
【００２１】
この構成により、本発明の記憶媒体の使用管理装置は、認証手段が、生体認証情報が予め登録された登録生体情報と一致したとき、取り外し禁止信号及び取り外し許可信号の何れかを出力するので、第３者によるＩＣカードの盗難を防止することができる。
【００２２】
本発明の記憶媒体の使用管理システムは、記憶媒体の使用管理装置と、前記認証情報と前記解錠施錠情報とを前記記憶媒体の使用管理装置に送信する通信装置と、前記記憶媒体を着脱する記憶媒体着脱装置と、前記認証手段の認証結果に基づいて前記解錠及び前記施錠を実行する解錠施錠装置とを有し、前記記憶媒体着脱装置は、前記記憶媒体に対するデータの記憶及び再生の少なくとも一方が許可された記憶媒体使用許可状態と前記記憶及び前記再生が禁止された記憶媒体使用禁止状態とを前記認証手段の認証結果に基づいて切り替える使用状態切替手段を備えたことを特徴とする構成を有している。
【００２３】
この構成により、本発明の記憶媒体の使用管理システムは、認証手段が、認証情報と登録認証情報とが一致したとき、記憶再生許可信号を使用状態切替手段に出力し、解錠施錠許可信号を解錠施錠装置に出力する構成としたので、認証情報を有しない第３者に対してＩＣカードの不正使用、盗難及び挿入忘れ等を防止するとともに、施錠された車両内においてＩＣカードを記憶媒体着脱装置に挿入したままにしておくことができ、ＩＣカードの取り扱いの利便性を向上することができる。
【００２４】
また、本発明の記憶媒体の使用管理システムは、前記記憶媒体着脱装置は、自動料金収受システムで使用される記憶媒体に対してデータの記憶及び再生の少なくとも一方を実行する装置であることを特徴とする構成を有している。
【００２５】
この構成により、本発明の記憶媒体の使用管理システムは、認証情報を有しない第３者に対して自動料金収受システムで使用されるＩＣカードの不正使用、盗難及び挿入忘れ等を防止するとともに、施錠された車両内においてＩＣカードを記憶媒体着脱装置に挿入したままにしておくことができ、ＩＣカードの取り扱いの利便性を向上することができる。
【発明の効果】
【００２６】
本発明は、記憶媒体の不正使用、盗難及び挿入忘れ等を防止するとともに、記憶媒体の取り扱いの利便性を向上させることができるという効果を有する記憶媒体の使用管理装置及びシステムを提供することができるものである。
【発明を実施するための最良の形態】
【００２７】
以下、本発明の実施の形態について図面を用いて説明する。なお、ＥＴＣシステムにおけるＩＣカード（以下「ＥＴＣカード」という。）の使用の許可及び禁止を管理するＥＴＣカード使用管理システムに本発明の記憶媒体の使用管理システムを適用した例を挙げて以下説明する。
【００２８】
（第１の実施の形態）
まず、本発明の第１の実施の形態のＥＴＣカード使用管理システムの構成について説明する。
【００２９】
図１に示すように、本実施の形態のＥＴＣカード使用管理システム１０は、車両の使用者を認証する認証情報と車両の錠の解錠及び施錠を指示する解錠施錠情報とを送信する通信装置としてのキーレス携帯機１１と、キーレス携帯機１１と通信する車載の通信アンテナ１２と、記憶媒体の使用管理装置としての車載制御装置１３と、ＥＴＣカードを着脱する記憶媒体着脱装置としてのＥＴＣ車載機１４と、車両の錠の解錠及び施錠を実行する解錠施錠装置１５とを備えている。
【００３０】
キーレス携帯機１１は、送受信回路、メモリ、スイッチ等で構成され、スイッチが操作されるとメモリに記憶された認証情報及び解錠施錠情報が無線通信によって送信されるようになっている。認証情報及び解錠施錠情報は、例えば２値のパルス信号で構成される。
【００３１】
車載制御装置１３は、キーレス携帯機１１から認証情報及び解錠施錠情報を受信する通信手段１３ａと、車両の使用者の認証用ＩＤ（Ｉｄｅｎｔｉｆｉｃａｔｉｏｎ）を記憶するＩＤ記憶手段１３ｂと、キーレス携帯機１１からの認証情報と認証用ＩＤとを照合して使用者を認証する認証手段１３ｃとを備えている。
【００３２】
通信手段１３ａは送受信回路を備え、通信アンテナ１２を介してキーレス携帯機１１と無線通信するようになっている。なお、通信手段１３ａとキーレス携帯機１１との通信は、片方向通信及び双方向通信のいずれでもよく、また、例えば赤外線通信によるものでもよい。
【００３３】
ＩＤ記憶手段１３ｂは例えば不揮発メモリで構成され、認証手段１３ｃはＣＰＵ、ＲＡＭ、ＲＯＭ等で構成されている。
【００３４】
認証手段１３ｃは、受信した認証情報と認証用ＩＤとが一致したとき、ＥＴＣカードに対するデータの記憶及び再生の少なくとも一方を許可するＥＴＣカード使用許可信号と、車両の錠の解錠を許可する解錠許可信号又は車両の錠の施錠を許可する施錠許可信号とを出力するようになっている。
【００３５】
なお、認証情報と認証用ＩＤとの認証方式は、特に限定されるものではなく、公知技術である固定ＩＤ送信方式、ローリングコード方式、コードホッピング方式、チャレンジ＆レスポンス方式等のいずれでも構わない。
【００３６】
ＥＴＣ車載機１４は、ＥＴＣカードに対するデータの記憶及び再生の少なくとも一方が許可されたＥＴＣカード使用許可状態と記憶及び再生が禁止されたＥＴＣカード使用禁止状態とを切り替える使用状態切替手段１４ａと、ＥＴＣカードの挿入状態を監視する挿入状態監視手段１４ｂとを備えている。
【００３７】
なお、図示を省略したが、ＥＴＣ車載機１４は、ＥＴＣカードに対してデータの記憶及び再生を行うカードリーダライタと、有料道路の料金所に設けられたＥＴＣ装置と通信する通信部と、課金処理及び装置全体の制御処理を行う演算部とを備えている。
【００３８】
使用状態切替手段１４ａは、ＣＰＵ、ＲＡＭ、ＲＯＭ等で構成され、認証手段１３ｃから記憶再生許可信号を受信したとき、ＥＴＣカード使用禁止状態からＥＴＣカード使用許可状態に切り替えるようになっている。
【００３９】
挿入状態監視手段１４ｂは、カード検出センサ、ＣＰＵ、ＲＡＭ、ＲＯＭ等で構成され、カードリーダライタにＥＴＣカードが挿入されているかを監視するようになっている。また、挿入状態監視手段１４ｂは、カードリーダライタ内にＥＴＣカードが挿入されているとき及び挿入されていないとき、それぞれ、挿入状態信号及び未挿入状態信号を認証手段１３ｃに送信するようになっている。
【００４０】
解錠施錠装置１５は、解錠許可信号又は施錠許可信号を受信したとき、車両のドア、トランクルーム等に備えられた錠の解錠又は施錠を実行する解錠施錠手段１５ａを備えている。解錠施錠手段１５ａは、ドアロックユニット、ドアロック制御回路等で構成されている。
【００４１】
次に、本実施の形態のＥＴＣカード使用管理システム１０の動作について、図２を用いて説明する。なお、ＥＴＣカード使用管理システム１０の初期状態として、ＥＴＣ車載機１４はＥＴＣカード使用禁止状態に設定されており、また、車両の錠は施錠されているものとする。
【００４２】
まず、車両の使用者が乗車する際、キーレス携帯機１１のスイッチが操作され、認証情報及び解錠施錠情報が通信アンテナ１２を介して車載制御装置１３に送信され、解錠要求が行われる（ステップＳ１１）。
【００４３】
次いで、通信手段１３ａによって、認証情報及び解錠施錠情報が認証手段１３ｃに送信され、認証手段１３ｃによって認証処理が実行される（ステップＳ１２）。ここで、認証手段１３ｃは、ＩＤ記憶手段１３ｂから認証用ＩＤを読み出し、この認証用ＩＤと受信した認証情報とを照合し、両者が一致するか否かを判断することにより認証処理を実行する。
【００４４】
ステップＳ１２において、認証用ＩＤと認証情報とが一致したと判断された場合は、認証手段１３ｃによって、車両錠の解錠を許可する解錠許可信号が解錠施錠装置１５に送信され（ステップＳ１３）、解錠施錠手段１５ａによって、車両のドア、トランクルーム等の錠が解錠される（ステップＳ１４）。
【００４５】
また、認証手段１３ｃによって、ＥＴＣカード使用許可信号がＥＴＣ車載機１４に送信される（ステップＳ１５）。次いで、挿入状態監視手段１４ｂによって、ＥＴＣカードがカードリーダライタに挿入されているか否かの確認が行われ（ステップＳ１６）、ＥＴＣカードが挿入されている場合は、挿入状態監視手段１４ｂによって、ＥＴＣカード挿入済みを示す挿入状態信号が認証手段１３ｃに出力される（ステップＳ１７）。そして、使用状態切替手段１４ａによって、ＥＴＣカード使用禁止状態からＥＴＣカード使用許可状態に切り替えられる（ステップＳ１８）。
【００４６】
なお、ステップＳ１２において、認証用ＩＤと認証情報とが一致したと判断されなかった場合は、解錠許可信号及びＥＴＣカード使用許可信号は共に送信されず、車両の錠において施錠状態が維持され、ＥＴＣ車載機１４においてＥＴＣカード使用禁止状態が維持される。また、ステップＳ１６において、ＥＴＣカードがカードリーダライタに挿入されていない場合は、挿入状態監視手段１４ｂによって、ＥＴＣカードの未挿入を示す未挿入状態信号が認証手段１３ｃに出力され、ＥＴＣ車載機１４においてＥＴＣカード使用禁止状態が維持される。
【００４７】
以上のように、本実施の形態のＥＴＣカード使用管理システム１０によれば、認証手段１３ｃは、通信手段１３ａによって受信された認証情報と認証用ＩＤとが一致したとき、ＥＴＣカード使用許可信号及び解錠許可信号を出力する構成としたので、キーレス携帯機１１を所持しない第３者に対してＥＴＣカードの不正使用や盗難を防止するとともに、施錠された車両内においてＥＴＣカードをＥＴＣ車載機１４に挿入したままにしておくことができるので、ＥＴＣカードの挿入及び取り出し動作が不要になりＥＴＣカードの取り扱いの利便性を向上することができる。
【００４８】
なお、本実施の形態において、ＥＴＣカードに対するデータの記憶及び再生を制御する例を挙げて説明したが、本発明はこれに限定されるものではなく、記憶媒体に対するデータの記憶のみ、又は再生のみの許可を制御する構成や、ＥＴＣ車載機１４の使用を許可するか否かを制御する構成としても同様の効果が得られる。
【００４９】
また、本実施の形態において、ＥＴＣカードの例を挙げて説明したが、本発明はこれに限定されるものではなく、ＥＴＣカードの機能を有した電子運転免許証や、カード状ではない記憶媒体、例えばコイン状の記憶媒体を着脱する装置に取り付け、このコイン状の記憶媒体の使用を許可するか否かを制御する構成としても同様の効果が得られる。
【００５０】
また、本実施の形態において、キーレス携帯機１１のメモリに記憶された認証情報に基づいて使用者を認証する例を挙げて説明したが、本発明はこれに限定されるものではなく、例えば下記の第１〜４のいずれの構成としても同様の効果が得られる。
【００５１】
第１の例として、キーレス携帯機１１に代えて、電子運転免許証又はＲＦＩＤ（Ｒａｄｉｏ  Ｆｒｅｑｕｅｎｃｙ  Ｉｄｅｎｔｉｆｉｃａｔｉｏｎ）技術による非接触ＩＣタグを使用する構成とし、車両錠の解錠及び施錠とＥＴＣカードの使用状態との少なくとも一方の認証を行う構成としてもよい。
【００５２】
第２の例として、キーレス携帯機１１に代えて非接触ＩＣカードを使用する構成、又は非接触ＩＣカード機能を搭載した携帯電話を使用する構成とし、車両錠の解錠及び施錠とＥＴＣカードの使用状態との少なくとも一方の認証を行うようにしてもよい。
【００５３】
第３の例として、運転者が身につける物、機械的にドアを解錠及び施錠するキー又はキーホルダ等にＲＦＩＤを内蔵させる構成とし、ＥＴＣカードの使用状態を設定するようにしてもよい。
【００５４】
第４の例として、キーレス携帯機１１による認証に代えてイモビライザー（車両盗難防止装置）を備えた構成とし、エンジンキーに埋め込まれているトランスポンダのＩＤコードを認証手段１３ｃに認証させるようにしてもよい。
【００５５】
（第２の実施の形態）
まず、本発明の第２の実施の形態のＥＴＣカード使用管理システムの構成について説明する。ただし、本発明の第１の実施の形態のＥＴＣカード使用管理システム１０と同様な構成については、同一の符号を付して詳細な説明を省略する。
【００５６】
図３に示すように、本実施の形態のＥＴＣカード使用管理システム２０は、車両の使用者を認証する認証情報と車両の錠の解錠及び施錠を指示する解錠施錠情報とを送信する通信装置としてのキーレス携帯機１１と、キーレス携帯機１１と通信する車載の通信アンテナ１２と、記憶媒体の使用管理装置としての車載制御装置２１と、ＥＴＣカードを着脱する記憶媒体着脱装置としてのＥＴＣ車載機１４と、車両の錠の解錠及び施錠を実行する解錠施錠装置１５とを備えている。
【００５７】
車載制御装置２１は、キーレス携帯機１１から認証情報及び解錠施錠情報を受信する通信手段１３ａと、車両の使用者の認証用ＩＤを記憶するＩＤ記憶手段１３ｂと、キーレス携帯機１１からの認証情報と認証用ＩＤとを照合して使用者を認証する認証手段１３ｃと、所定の音声メッセージを出力する報知手段２１ａを備えている。
【００５８】
報知手段２１ａは、ＣＰＵ、メモリ、音声合成回路、アンプ、スピーカ等で構成されている。
【００５９】
次に、本実施の形態のＥＴＣカード使用管理システム２０の動作について、図４を用いて説明する。ただし、図４において、ステップＳ１６までの動作は、本発明の第１の実施の形態のＥＴＣカード使用管理システム１０と同様なので説明を省略する。
【００６０】
図４のステップＳ１６において、ＥＴＣカードがカードリーダライタに挿入されていると判断されなかった場合は、挿入状態監視手段１４ｂによって、未挿入状態信号が認証手段１３ｃを介して報知手段２１ａに送信される（ステップＳ２１）。
【００６１】
そして、報知手段２１ａによって、例えば「ＥＴＣカードが挿入されていません」又は「ＥＴＣカードが挿入されていませんので挿入してください」というような音声が出力され（ステップＳ２２）、ＥＴＣカードが未挿入であることが使用者に報知される。この報知は、ＥＴＣカードが挿入されるまで所定時間間隔で繰り返して実行してもよい。
【００６２】
なお、ステップＳ１６において、ＥＴＣカードが挿入されていると判断された場合は、使用状態切替手段１４ａによるＥＴＣカード使用許可状態に切り替え後、挿入状態監視手段１４ｂによって、挿入状態信号を報知手段２１ａに出力し、報知手段２１ａによって、「ＥＴＣカードが使用できます」というような音声を出力するようにしてもよい。
【００６３】
以上のように、本実施の形態のＥＴＣカード使用管理システム２０によれば、報知手段２１ａは、ＥＴＣカードが挿入されていないとき、その旨を報知する構成としたので、ＥＴＣカードをカードリーダライタに挿入するよう使用者に促すことができ、ＥＴＣカードの挿入忘れを防止することができる。
【００６４】
（第３の実施の形態）
まず、本発明の第３の実施の形態のＥＴＣカード使用管理システムの構成について説明する。ただし、本発明の第２の実施の形態のＥＴＣカード使用管理システム２０と同様な構成については、同一の符号を付して詳細な説明を省略する。
【００６５】
図５に示すように、本実施の形態のＥＴＣカード使用管理システム３０は、車両の使用者を認証する認証情報と車両の錠の解錠及び施錠を指示する解錠施錠情報とを送信する通信装置としてのキーレス携帯機１１と、キーレス携帯機１１と通信する車載の通信アンテナ１２と、記憶媒体の使用管理装置としての車載制御装置２１と、ＥＴＣカードを着脱する記憶媒体着脱装置としてのＥＴＣ車載機１４と、車両の錠の解錠及び施錠を実行する解錠施錠装置３１とを備えている。
【００６６】
解錠施錠装置３１は、解錠許可信号又は施錠許可信号を受信したとき、車両のドア、トランクルーム等に備えられた錠の解錠又は施錠を実行する解錠施錠手段１５ａと、車両のドアの開閉状態を検知するドア開閉検知手段３１ａを備えている。
【００６７】
ドア開閉検知手段３１ａは、ドアの開閉状態を検知するセンサで構成され、ドアが開閉されているか否かを常時検知するようになっている。
【００６８】
次に、本実施の形態のＥＴＣカード使用管理システム３０の動作について、図６を用いて説明する。ただし、図６において、ステップＳ１３からステップＳ１８までの動作は、本発明の第１の実施の形態のＥＴＣカード使用管理システム１０と同様なので説明を省略する。なお、ＥＴＣカード使用管理システム３０の初期状態として、ＥＴＣ車載機１４はＥＴＣカード使用禁止状態に設定されており、また、車両の錠は施錠されているものとする。
【００６９】
まず、ドア開閉検知手段３１ａによって、ドアが施錠された後におけるドアの開閉状態が継続して確認される（ステップＳ３１）。
【００７０】
ステップＳ３１において、ドアが閉状態から開状態に変化した場合、認証手段１３ｃによって、認証用ＩＤと認証情報との照合後に解錠されたか否かが判断される（ステップＳ３２）。ここで、認証用ＩＤと認証情報との照合後にドアが解錠されたと判断されなかった場合、すなわち、認証手段１３ｃによる認証を経ないでドアが解錠された場合は、ＥＴＣカード使用禁止状態が維持され、報知手段２１ａによって、例えば「ＥＴＣカードは使用できません」というような音声が出力される。
【００７１】
一方、ステップＳ３２において、認証用ＩＤと認証情報との照合後にドアが解錠されたと判断された場合は、ステップＳ１３〜ステップＳ１８が実行される。
【００７２】
以上のように、本実施の形態のＥＴＣカード使用管理システム３０によれば、ドア開閉検知手段３１ａは、車両のドアの開閉状態を検知し、報知手段２１ａは、認証手段１３ｃによる認証を経ないでドアが解錠された場合、ＥＴＣカードが使用できない旨を報知する構成としたので、ＥＴＣカードが使用できない状態で使用者が車両を有料道路料金所のＥＴＣゲートに進入させたときに発生する交通渋滞を回避することができる。
【００７３】
（第４の実施の形態）
本発明の第４の実施の形態のＥＴＣカード使用管理システムの構成は、図３に示された本発明の第２の実施の形態のＥＴＣカード使用管理システム２０の構成と同様であるので、構成の説明を省略する。
【００７４】
次に、本実施の形態のＥＴＣカード使用管理システムの動作について、図７を用いて説明する。なお、図７において、認証手段１３ｃによって、認証用ＩＤと認証情報とが一致したと判断された後、使用状態切替手段１４ａによって、ＥＴＣカード使用禁止状態からＥＴＣカード使用許可状態に切り替えられた状態（ステップＳ４１）となっているものとする。
【００７５】
まず、挿入状態監視手段１４ｂによって、ＥＴＣカードの挿入状態が確認され（ステップＳ４２）、ＥＴＣカードがカードリーダライタに挿入されているか否かの判断が行われる（ステップＳ４３）。ＥＴＣカードが挿入されていると判断された場合は、引き続き、挿入状態監視手段１４ｂによって、ＥＴＣカードの挿入状態が確認される。
【００７６】
一方、ステップＳ４３において、ＥＴＣカードが挿入されていると判断されなかった場合は、挿入状態監視手段１４ｂによって、ＥＴＣカードが未挿入であることを示す信号が認証手段１３ｃを介して報知手段２１ａに出力され、報知手段２１ａによって、例えば「ＥＴＣカードが挿入されていません」又は「ＥＴＣカードが挿入されていませんので挿入してください」というような音声が出力される（ステップＳ４４）。
【００７７】
以上のように、本実施の形態のＥＴＣカード使用管理システムによれば、挿入状態監視手段１４ｂは、ＥＴＣカードの挿入状態を監視し、報知手段２１ａは、ＥＴＣカードが挿入されていないとき、その旨を報知する構成としたので、ＥＴＣカード使用許可状態において使用者がＥＴＣ車載機１４からＥＴＣカードを取り出した場合でも、再度挿入するよう使用者に報知することができ、使用者のＥＴＣカード挿入忘れを防止することができる。
【００７８】
（第５の実施の形態）
まず、本発明の第５の実施の形態のＥＴＣカード使用管理システムの構成について説明する。ただし、本発明の第１の実施の形態のＥＴＣカード使用管理システム１０と同様な構成については、同一の符号を付して詳細な説明を省略する。
【００７９】
図８に示すように、ＥＴＣカード使用管理システム４０は、車両の使用者を認証する認証情報と車両の錠の解錠及び施錠を指示する解錠施錠情報とを送信する通信装置としてのキーレス携帯機１１と、キーレス携帯機１１と通信する車載の通信アンテナ１２と、記憶媒体の使用管理装置としての車載制御装置４１と、ＥＴＣカードを着脱する記憶媒体着脱装置としてのＥＴＣ車載機４２と、車両の錠の解錠及び施錠を実行する解錠施錠装置１５とを備えている。
【００８０】
車載制御装置４１は、キーレス携帯機１１から認証情報及び解錠施錠情報を受信する通信手段１３ａと、車両の使用者の認証用ＩＤを記憶するＩＤ記憶手段１３ｂと、キーレス携帯機１１からの認証情報と認証用ＩＤとを照合して使用者を認証する認証手段４１ａとを備えている。
【００８１】
ＥＴＣ車載機４２は、ＥＴＣカードに対するデータの記憶及び再生の少なくとも一方が許可されたＥＴＣカード使用許可状態と記憶及び再生が禁止されたＥＴＣカード使用禁止状態とを切り替える使用状態切替手段１４ａと、ＥＴＣ車載機４２のカードリーダライタから使用者がＥＴＣカードを取り出せる取出可能状態とＥＴＣカードを取り出せない取出不可状態とを切り替える装着状態切替手段４２ａとを備えている。
【００８２】
認証手段４１ａは、ＣＰＵ、ＲＡＭ、ＲＯＭ等で構成され、受信した認証情報と認証用ＩＤとが一致したとき、ＥＴＣカードに対するデータの記憶及び再生の少なくとも一方を許可するＥＴＣカード使用許可信号、車両の錠の解錠を許可する解錠許可信号又は車両の錠の施錠を許可する施錠許可信号を出力するようになっている。
【００８３】
また、認証手段４１ａは、車両の使用者の降車後において、車両の錠が施錠されたとき、ＥＴＣカードの取出可能状態から取出不可状態に遷移させる信号を装着状態切替手段４２ａに出力するようになっている。なお、車両の施錠には、乗車中の施錠と降車後の施錠とがあり、例えばイグニッション電源のオン又はオフを検知して両者を区別することができる。
【００８４】
さらに、認証手段４１ａは、使用者の認証処理を経て車両の錠が解錠されたとき、ＥＴＣカードの取出不可状態から取出可能状態に遷移させる信号を装着状態切替手段４２ａに出力するようになっている。
【００８５】
装着状態切替手段４２ａは、ＣＰＵ、ＲＡＭ、ＲＯＭ等で構成され、認証手段４１ａから出力される取出可能状態又は取出不可状態に遷移させる信号に基づいてＥＴＣカードの取出状態を切り替えるようになっている。
【００８６】
例えば、カードリーダライタにＥＴＣカードを固定維持するロック機構が設けてある場合、装着状態切替手段４２ａは、取出可能状態から取出不可状態に遷移させる信号を受信したとき、ロック機構を動作させてＥＴＣカードを固定維持するようになっている。
【００８７】
また、例えば、カードリーダライタのＥＴＣカードの挿入口にシャッターが設けてある場合、装着状態切替手段４２ａは、取出可能状態から取出不可状態に遷移させる信号を受信したとき、ＥＴＣカードが挿入口から取り出されないようシャッターを固定維持するようになっている。
【００８８】
次に、本実施の形態のＥＴＣカード使用管理システム４０の動作について、図９を用いて説明する。
【００８９】
最初に、使用者が車両から降車する場合におけるＥＴＣカード使用管理システム４０の動作を説明する。なお、使用者が車両から降車する前は、使用者の認証処理を経てＥＴＣ車載機４２が取出可能状態になっていたものとする。
【００９０】
まず、キーレス携帯機１１によって、降車後の施錠が行われる（ステップＳ５１）。次いで、認証手段４１ａによって、取出可能状態から取出不可状態に遷移させる信号が装着状態切替手段４２ａに出力される（ステップＳ５２）。
【００９１】
そして、装着状態切替手段４２ａによって、ＥＴＣ車載機４２のカードリーダライタからＥＴＣカードを取り出すことができない取出不可状態に切り替えられる（ステップＳ５３）。
【００９２】
次に、使用者が車両に乗車する場合におけるＥＴＣカード使用管理システム４０の動作を説明する。
【００９３】
まず、認証手段４１ａによって、認証情報と認証用ＩＤとが一致するか否かが判断される（ステップＳ５４）。ここで、認証情報と認証用ＩＤとが一致したと判断されなかった場合は、ステップＳ５４を繰り返す。
【００９４】
ステップＳ５４において、認証情報と認証用ＩＤとが一致すると判断された場合は、解錠施錠手段１５ａによって、車両のドア、トランクルーム等の錠が解錠され、認証手段４１ａによって、取出不可状態から取出可能状態に遷移させる信号が装着状態切替手段４２ａに出力される（ステップＳ５５）。
【００９５】
そして、装着状態切替手段４２ａによって、ＥＴＣ車載機４２のカードリーダライタからＥＴＣカードを取り出すことができる取出可能状態に切り替えられる（ステップＳ５６）。
【００９６】
以上のように、本実施の形態のＥＴＣカード使用管理システム４０によれば、認証手段４１ａは、車両の錠が施錠されたときは取出可能状態から取出不可状態に遷移させる信号を装着状態切替手段４２ａに出力し、使用者の認証処理を経て車両の錠が解錠されたときは取出不可状態から取出可能状態に遷移させる信号を装着状態切替手段４２ａに出力し、装着状態切替手段４２ａは、認証手段４１ａから出力される取出可能状態又は取出不可状態に遷移させる信号に基づいてＥＴＣカードの取出状態を切り替える構成としたので、車両の錠が施錠されている場合にＥＴＣ車載機４２からＥＴＣカードが第３者によって取り出されることを防止することができる。その結果、使用者は、降車ごとにＥＴＣカードを取り出したり、乗車ごとにＥＴＣカードを挿入したりする煩わしさから解放されるので、ＥＴＣカード使用管理システム４０は、ＥＴＣカードの取り扱いの利便性を向上することができる。
【００９７】
（第６の実施の形態）
まず、本発明の第６の実施の形態のＥＴＣカード使用管理システムの構成について説明する。ただし、本発明の第１の実施の形態のＥＴＣカード使用管理システム１０と同様な構成については、同一の符号を付して詳細な説明を省略する。
【００９８】
図１０に示すように、本実施の形態のＥＴＣカード使用管理システム５０は、車両の使用者を認証する認証情報と車両の錠の解錠及び施錠を指示する解錠施錠情報とを送信する通信装置としてのキーレス携帯機１１と、キーレス携帯機１１と通信する車載の通信アンテナ１２と、記憶媒体の使用管理装置としての車載制御装置５１と、ＥＴＣカードを着脱する記憶媒体着脱装置としてのＥＴＣ車載機１４と、車両の錠の解錠及び施錠を実行する解錠施錠装置１５とを備えている。
【００９９】
車載制御装置５１は、キーレス携帯機１１から認証情報及び解錠施錠情報を受信する通信手段１３ａと、車両の使用者の認証用ＩＤを記憶するＩＤ記憶手段１３ｂと、生体情報を取得する生体情報取得手段５１ａと、予め登録された登録生体情報を記憶する生体情報記憶手段５１ｂと、キーレス携帯機１１からの認証情報と認証用ＩＤとを照合し、又は生体情報取得手段５１ａによって取得された生体情報と登録生体情報とを照合して使用者を認証する認証手段５１ｃとを備えている。
【０１００】
ここで、生体情報とは、人物の特徴を表す情報をいい、例えば音声、指紋、顔画像、虹彩、匂い、掌紋、指静脈、手の甲の静脈、網膜及び耳介等の情報をいう。
【０１０１】
生体情報取得手段５１ａは、例えば指紋センサ、画像処理回路等で構成され、取得された指紋画像を電気信号に変換し、認証手段１３ｃに出力するようになっている。
【０１０２】
生体情報記憶手段５１ｂは、例えば指紋データを記憶する不揮発メモリで構成されている。
【０１０３】
次に、本実施の形態のＥＴＣカード使用管理システム５０の動作について説明する。ただし、本発明の第１の実施の形態のＥＴＣカード使用管理システム１０の動作に対し、図２に示されたステップＳ１１及びステップＳ１２が異なるだけなので、他の動作の説明は省略する。
【０１０４】
図２のステップＳ１１において、キーレス携帯機１１又は生体情報取得手段５１ａによって、解錠要求が行われる。
【０１０５】
ここで、キーレス携帯機１１によって解錠要求が行われた場合は、認証手段５１ｃによって、ＩＤ記憶手段１３ｂから認証用ＩＤが読み出され、この認証用ＩＤとキーレス携帯機１１から受信した認証情報とが一致するか否かが判断されることにより認証処理が実行される。
【０１０６】
一方、生体情報取得手段５１ａによって生体情報が取得され解錠要求が行われた場合は、認証手段５１ｃによって、生体情報記憶手段５１ｂから登録生体情報が読み出され、この登録生体情報と生体情報取得手段５１ａによって取得された生体情報とが一致するか否かが判断されることにより認証処理が実行される。
【０１０７】
以上のように、本実施の形態のＥＴＣカード使用管理システム５０によれば、認証手段５１ｃは、キーレス携帯機１１からの認証情報と認証用ＩＤとを照合し、又は生体情報取得手段５１ａによって取得された生体情報と登録生体情報とを照合して使用者を認証する構成としたので、第３者に対してＥＴＣカードの不正使用や盗難を防止するとともに、施錠された車両内においてＥＴＣカードをＥＴＣ車載機１４に挿入したままにしておくことができるので、ＥＴＣカードの挿入及び取り出し動作が不要になりＥＴＣカードの取り扱いの利便性を向上することができる。
【産業上の利用可能性】
【０１０８】
以上のように、本発明に係る記憶媒体の使用管理装置及びシステムは、記憶媒体の不正使用、盗難及び挿入忘れ等を防止するとともに、記憶媒体の取り扱いの利便性を向上させることができるという効果を有し、ＥＴＣシステムにおけるＩＣカードの使用の許可及び禁止を管理する装置等として有用である。
【図面の簡単な説明】
【０１０９】
【図１】本発明の第１の実施の形態のＥＴＣカード使用管理システムのブロック図
【図２】本発明の第１の実施の形態のＥＴＣカード使用管理システムのシーケンス図
【図３】本発明の第２の実施の形態のＥＴＣカード使用管理システムのブロック図
【図４】本発明の第２の実施の形態のＥＴＣカード使用管理システムのシーケンス図
【図５】本発明の第３の実施の形態のＥＴＣカード使用管理システムのブロック図
【図６】本発明の第３の実施の形態のＥＴＣカード使用管理システムのシーケンス図
【図７】本発明の第４の実施の形態のＥＴＣカード使用管理システムのシーケンス図
【図８】本発明の第５の実施の形態のＥＴＣカード使用管理システムのブロック図
【図９】本発明の第５の実施の形態のＥＴＣカード使用管理システムのシーケンス図
【図１０】本発明の第６の実施の形態のＥＴＣカード使用管理システムのブロック図
【符号の説明】
【０１１０】
１０、２０、３０、４０、５０  ＥＴＣカード使用管理システム
１１  キーレス携帯機（通信装置）
１２  通信アンテナ
１３、２１、４１、５１  車載制御装置（記憶媒体の使用管理装置）
１３ａ  通信手段
１３ｂ  ＩＤ記憶手段
１３ｃ、４１ａ、５１ｃ  認証手段
１４、４２  ＥＴＣ車載機（記憶媒体着脱装置）
１４ａ  使用状態切替手段
１４ｂ  挿入状態監視手段
１５、３１  解錠施錠装置
１５ａ  解錠施錠手段
２１ａ  報知手段
３１ａ  ドア開閉検知手段
４２ａ  装着状態切替手段
５１ａ  生体情報取得手段
５１ｂ  生体情報記憶手段
【図１】
2006011958.tif 000003
【図２】
2006011958.tif 000004
【図３】
2006011958.tif 000005
【図４】
2006011958.tif 000006
【図５】
2006011958.tif 000007
【図６】
2006011958.tif 000008
【図７】
2006011958.tif 000009
【図８】
2006011958.tif 000010
【図９】
2006011958.tif 000011
【図１０】
2006011958.tif 000012